(57)【特許請求の範囲】
【請求項１】
開口を有する箱本体と、当該箱本体の開口に対し開閉可能に設けられる扉部とを備える電気機器収納用箱であって、
前記扉部の裏面に、当該扉部の外周枠と、その内側で前記箱本体の前記開口の端面に臨むリブとが形成され、
前記リブが当接する内パッキンと、前記外周枠の少なくともその上部が当接する外パッキンとが、前記箱本体の前記開口端面に配設されており、
前記リブの先端を内パッキンに対して直交する向きに当接させ、前記外周枠の先端を外パッキンに対して傾斜して当接させ、
前記リブの内パッキンに対する押圧力を、前記外周枠の外パッキンに対する押圧力よりも大きくしたことを特徴とする、電気機器収納用箱。
【請求項２】
前記内パッキンと前記外パッキンとが、それぞれ個別の部材として、前記箱本体の前記開口端面に配設されていることを特徴とする、請求項１に記載の電気機器収納用箱。
【請求項３】
前記扉部の外周枠の少なくともその上部が、前方に向かうにつれて次第に下がるように傾斜して形成されていることを特徴とする、請求項１または２に記載の電気機器収納用箱。
【請求項４】
前記扉部のリブが、前記箱本体の前記開口端面に対し直交する向きに突出して形成されていることを特徴とする、請求項１〜３の何れか１項に記載の電気機器収納用箱。
【請求項５】
前記内パッキンおよび前記外パッキンとの間に仕切壁が形成されていることを特徴とする、請求項１〜４の何れか１項に記載の電気機器収納用箱。
【請求項６】
前記扉部を前記箱本体に閉じたときに、前記箱本体の仕切壁の上面と前記扉部の外周枠の下面とが当接することを特徴とする、請求項５に記載の電気機器収納用箱。
【請求項７】
前記内パッキンと前記外パッキンとを一体化したパッキン部材が、前記箱本体の前記開口端面に配設されていることを特徴とする、請求項１に記載の電気機器収納用箱。
【請求項８】
前記箱本体の上部に前記扉部側に向けて延びる庇部が形成されていることを特徴とする、請求項１〜７の何れか１項に記載の電気機器収納用箱。
【発明の詳細な説明】
【技術分野】
【０００１】
本発明は、電気機器収納用箱の構造に関する。
【背景技術】
【０００２】
従来、電気機器を収納する電気機器収納用箱において、箱本体内の防塵、防水のために、扉部の裏面または箱本体の開口端面にパッキンを設けたものが知られている。例えば特許文献１は、箱本体の開口端面に臨む扉部の裏面に肉厚のリブを形成し、そのリブの内側にパッキンを配置した合成樹脂製の電気機器収納用箱を開示している。
【先行技術文献】
【特許文献】
【０００３】
【特許文献１】特開２００６−２０３０９３号公報
【発明の概要】
【発明が解決しようとする課題】
【０００４】
しかし、従来の構造の電気機器収納用箱では、扉部と箱本体との間の隙間や、扉部の外周枠とリブとの間に雨水が溜まり、扉部を開放したときにその水滴が飛散したり、箱本体内の電気機器に水滴が触れたりする等の懸念があった。
【０００５】
そこで、本発明は、扉部に雨水等が溜まらない構造とすることにより、扉部を開放したときの水滴の飛散をなくすようにした電気機器収納用箱を提供することを目的としている。
【課題を解決するための手段】
【０００６】
上記課題を解決するためになされた本発明は、開口を有する箱本体と、当該箱本体の開口に対し開閉可能に設けられる扉部とを備える電気機器収納用箱であって、前記扉部の裏面に、当該扉部の外周枠と、その内側で前記箱本体の前記開口の端面に臨むリブとが形成され、前記リブが当接する内パッキンと、前記外周枠の少なくともその上部が当接する外パッキンとが、前記箱本体の前記開口端面に配設されており、前記リブの先端を内パッキンに対して直交する向きに当接させ、前記外周枠の先端を外パッキンに対して傾斜して当接させ、前記リブの内パッキンに対する押圧力を、前記外周枠の外パッキンに対する押圧力よりも大きくしたことを特徴とする。
【０００７】
この構成によれば、扉部のリブが、箱本体の開口端面に配設された内パッキンに直交する向きに当接することで、開口周囲の防塵および防水性能が確保される。また、外周枠の上部が、開口の上方に配設された外パッキンに傾斜して当接することで、扉部の外周枠とリブとの間への水の浸入及び水溜まりを防ぐことができる。
【０００８】
また、電気機器収納用箱において、前記内パッキンと前記外パッキンとが、それぞれ個別の部材として、前記箱本体の前記開口端面に配設されていることが好ましい。
【０００９】
この構成によれば、内パッキンと外パッキンとを個別の部材とすることで、要求に適した特性を有する部材をそれぞれ採用することができる。
【００１０】
また、電気機器収納用箱において、前記扉部の外周枠の少なくともその上部が、前方に向かうにつれて次第に下がるように傾斜して形成されていることが好ましい。
【００１１】
この構成によれば、雨水等を扉部の外周枠の斜面で流し落とし、扉部上部の水溜まりを防止することができる。
【００１２】
また、電気機器収納用箱において、前記扉部のリブが、前記箱本体の前記開口端面に対し直交する向きに突出して形成されていることが好ましい。
【００１３】
この構成によれば、リブの押圧力の反作用として生じる内パッキンの反発力を最大に引き出し、開口周囲のシール性能を最適化することができる。
【００１４】
また、電気機器収納用箱において、前記内パッキンおよび前記外パッキンとの間に仕切壁が形成されていることが好ましい。また、前記扉部を前記箱本体に閉じたときに、前記箱本体の仕切壁の上面と前記扉部の外周枠の下面とが当接することが好ましい。
【００１５】
この構成によれば、内パッキンおよび外パッキンの変形や位置ずれを抑制することができる。更に、扉部を箱本体に閉じたときに、仕切壁の上面と扉部の外周枠の下面とが当接するようにすれば、いわゆる「扉下がり」を防ぐことができる。
【００１６】
また、電気機器収納用箱において、前記内パッキンと前記外パッキンとを一体化したパッキン部材が、前記箱本体の前記開口端面に配設されているものでもよい。
【００１７】
この構成によれば、扉部の外周枠とリブとで挟まれる隙間や扉部の内側への水の浸入を防ぐことができる。また、パッキン部材の部品点数が減る等、箱本体の構造を簡素化することができる。
【００１８】
また、電気機器収納用箱において、前記箱本体の上部に前記扉部側に向けて延びる庇部が形成されていることが好ましい。
【００１９】
この構成によれば、箱本体と扉部とが接する部分の僅かな隙間や段差等に吹き込む雨水を最小限に防ぐことができる。また、紫外線を含む太陽光を庇部が遮光することで、パッキンの光劣化を抑制することができる。更に、箱本体と扉部との間の部分が庇部で視覚的に隠されるので、電気機器収納用箱全体の美観を損なうこともない。
【発明の効果】
【００２０】
本発明によれば、電気機器収納用箱において、箱本体の防塵、防水性能を確保するとともに、扉部と箱本体との間の隙間や、扉部の外周枠とリブとの間に雨水等が溜まるのを防ぐことができる。これにより、扉部を開放したときにその水滴が飛散したり、箱本体内の電気機器に水滴が触れたりする等の事態を回避することができる。したがって、屋外での使用に適した、電気機器収納用箱を提供することができる。
【図面の簡単な説明】
【００２１】
【図１】本発明の一実施形態による電気機器収納用箱を斜め前方から見た斜視図である。
【図２】図１の電気機器収納用箱を斜め後方から見た斜視図である。
【図３】図１の電気機器収納用箱の分解斜視図である。
【図４】扉部を省略した電気機器収納用箱の正面図である。
【図５】図１の電気機器収納用箱の側面図である。
【図６】本発明の他の実施形態による電気機器収納用箱の側面図である。
【発明を実施するための形態】
【００２２】
図１は、本発明の一実施形態による電気機器収納用箱１の斜視図である。また、図２は、扉部２０を開放した電気機器収納用箱１の斜視図である。本実施形態による電気機器収納用箱１は、前面側に開口１１を有する矩形有底の箱体である箱本体１０と、箱本体１０に対し前記開口１１を開閉可能に設けられる扉部２０とを備えている。
【００２３】
電気機器収納用箱１の箱本体１０および扉部２０は、耐候性や強度に優れたＦＲＰ等の熱硬化性樹脂により成型される。また、リサイクル性を考慮して、ＡＢＳやポリカーボネートなどの熱可塑性樹脂を用いて成型されるものでもよい。
【００２４】
箱本体１０は、内部に電気機器を収納可能なスペースを有しており、箱本体１０の底部に電気機器を取り付けるための電気機器取付板１８が固定されている。
【００２５】
箱本体１０の開口１１の周囲には、当該箱本体１０の側壁からフランジ状に若干張り出した開口枠１２が一体形成されている。そして、扉部２０は、箱本体１０のこの開口枠１２の一方側に設けた蝶番部１４、１４を介して枢支されている。
【００２６】
また、詳細は後述するが、この開口枠１２の前面（これを「開口端面」という。）に、開口１１の全体を囲む内パッキン３１と、内パッキン３１の上部に位置する外パッキン３２とが配置されている。
【００２７】
図１に示すように、扉部２０の外周枠２３には、傾斜部２３ａ、２３ｂ、２３ｃ、２３ｄが形成されている。例えば外周枠２３の上部と傾斜部２３ａは、前方に向かうにつれて次第に下がる斜面を有している。詳しくは、外周枠２３の上部は先端部から前方に向かうにつれて次第に下がり、傾斜部２３ａから更に下がる斜面を有している。扉部２０の少なくとも前面上部に、このような斜面を形成することにより、雨水をその斜面で流し落とし、扉部２０の上部に水を溜まりにくくしている。
【００２８】
また、扉部２０の裏面側端部には、図２に示すように可動の係止ロッド２８、２８を有する係止機構部２７が設けられている。この係止機構部２７は、扉部２０の前面の開閉操作部２９の動作に連動する。すなわち、使用者が開閉操作部２９のハンドルを操作することにより、係止ロッド２８、２８が上下に移動し、これにより、箱本体１０側のロッド受部１７、１７と係止ロッド２８、２８とが係止しおよび係止が解除されるように構成されている。
なお、通常は、係止機構部２７に施錠部が組み込まれており、開閉操作部２９に設けられる鍵穴２９ａに所定の鍵を挿入して開錠操作をしなければ、扉部２０を開くことができないようになっている。
【００２９】
次に、電気機器収納用箱１に備えられる防塵、防水構造を更に詳細に説明する。ここで、図３は、箱本体１０の一部分解斜視図、図４は、扉部２０を省略した正面図である。
【００３０】
図２や図５のように、扉部２０の裏面には、上述の外周枠２３の内側で、箱本体１０の開口枠１２の前面に臨む位置にリブ２４が形成されている。リブ２４は、箱本体１０の開口１１全体を囲むように概ね四角の枠形状を有し、開口枠１２の前面に対し直交する向きに突出している。リブ２４は、上から流れ落ちる水滴を防ぐという機能の観点からいえば、箱本体１０側の開口１１の少なくとも上縁部分を覆うものであればよい。ただし、防塵、防水性を高めるために、図２に示したように開口１１全体を囲むものであることが好ましい。
【００３１】
箱本体１０の開口枠１２には、開口１１の全体を囲む概ね四角枠形状の内パッキン３１が配置されている。内パッキン３１は、水分を通さないエラストマー材等からなる。図５（ａ）、（ｂ）に示すように、扉部２０を箱本体１０に閉じたときに、この内パッキン３１に扉部２０のリブ２４の先端が当接することにより、開口１１の周囲がシールされる。これにより、箱本体１０内の防塵および防水が確保される。
【００３２】
なお、内パッキン３１は四角枠形状であってもよいし、１本のパッキンを四角枠状に形成するものでもよい。その場合、１本のパッキンの両端部の接合部は空間を設けないように密着させた上で配置する。
【００３３】
また、図５（ａ）、（ｂ）に示すように、扉部２０を箱本体１０に閉じたときには外パッキン３２に扉部２０の外周枠２３の先端が当接する。これにより、扉部２０の外周枠２３とリブ２４とで挟まれる隙間が、外パッキン３２および内パッキン３１で封止されることとなり、この隙間に水が浸入したり溜まったりするのを防ぐことができる。
【００３４】
また、本実施形態では、箱本体１０の開口枠１２前面の内パッキン３１および外パッキン３２との間に仕切壁３３を設けている。パッキンが変形すると、外周枠２３やリブ２４の当たりが変化し、シール性が悪化するおそれがある。しかし、仕切壁３３により、内パッキン３１および外パッキン３２の変形や位置ずれを抑制することができる。更に、図５に示すように扉部２０を箱本体１０に閉じたときに、仕切壁３３の上面と扉部２０の外周枠２３の下面とが当接するようにすれば、扉部２０の荷重の一部を仕切壁３３が支承することができ、いわゆる「扉下がり」を防ぐことができる。
【００３５】
本実施形態では、扉部２０の外周枠２３の厚みをリブ２４の厚みよりも厚く形成したことにより、扉部２０全体の機械的強度を増加させている。これとともに、パッキンとの接触面積が比較的小さいリブ２４側で、内パッキン３１に押圧力を集中させることができる。したがって、扉部２０の剛性および開口１１周囲のシール性を同時に向上させることができる。
【００３６】
また、本実施形態では、扉部２０側のリブ２４を、内パッキン３１に対し直交する向きに突出して形成するとともに、扉部２０を閉じる際にその直交する向きで内パッキン３１に当接する構造にした。これにより、リブ２４の押圧力の反作用として生じる内パッキン３１の反発力が最大となるため、シール性能が最適化されている。
【００３７】
また、箱本体１０の開口枠１２前面には、内パッキン３１の上方で仕切壁３３を挟んで外パッキン３２が配置されている。外パッキン３２は、開口１１の上縁に沿って水平に配置され、その長さは開口１１の上縁よりも長く形成されている。外パッキン３２は、内パッキン３１と同様に水分を通さないエラストマー材からなるが、外パッキン３２および内パッキン３１はそれぞれ個別のパッキン部材として設けられている。
【００３８】
上述したように、内パッキン３１には比較的高圧力下での反発特性による高いシール性能が要求される一方、外パッキン３２はリブ２４と外周枠２３間への水の浸入を防止しつつ、外パッキン３２の反発特性により扉部２０の開放操作が困難とならないような比較的低圧力下でのシール性能が要求される。これらを個別のパッキン部材とすることで、各要求に適した特性を有するパッキン部材をそれぞれ採用することができる。
【００３９】
なお、図６に示すように、内パッキン３１および外パッキン３２を一体化した１つのパッキン部材３４を、箱本体１０の開口枠１２に配置するものでもよい。このような一体化したパッキン部材３４によっても、扉部２０の外周枠２３とリブ２４とで挟まれる隙間や扉部２０の内側への水の浸入を防ぐことができる。また、パッキン部材の部品点数が減り、仕切壁３３が不要となる等、箱本体１０の構造を簡素化することもできる。
【００４０】
また、本実施形態のように、箱本体１０の上部に、扉部２０側に向けて延びる庇部３５を備えることが好ましい。この場合、庇部３５と、外周枠２３の上部と、傾斜部２３ａとは、雨水等の表面張力が起こらない程度に離間している。なお、この外周枠２３の上部と傾斜部２３ａは傾斜させているため、表面張力が生じた場合でも雨水を流し落とすことができる。また、庇部３５から落ちてきた水も傾斜部２３ａで流し落とすようにするために、傾斜部２３ａが庇部３５の先端よりも延出させた位置に形成されている。箱本体１０の上部にこのような庇部３５を設けることにより、箱本体１０と扉部２０とが接する部分の僅かな隙間や段差等に吹き込む雨水を最小限に防ぐことができる。また、庇部３５から落ちてきた水も傾斜部２３ａで流し落とすことができる。また、紫外線を含む太陽光が庇部３５で遮光されるので、外パッキン３２等のシール材の劣化を抑えることもできる。更に、箱本体１０と扉部２０との間の外パッキン３２等の部分が庇部３５で隠されるので、電気機器収納用箱１の全体の美観も維持向上させることができる。
【００４１】
上述した実施形態の電気機器収納用箱１によれば、箱本体１０の防塵、防水性能を十分確保するとともに、箱本体１０と扉部２０とが接する隙間や、扉部２０の内側に雨水等が溜まるのを防ぐことができる。これにより、扉部２０を開放したときに溜まった水が飛散したり、また箱本体１０内の電気機器に水が触れてショートしたりする等の危険性を減らすことができる。したがって、屋外での使用に適した、電気機器収納用箱１を提供することができる。
【符号の説明】
【００４２】
１  電気機器収納用箱
１０  箱本体
１１  開口
１２  開口枠
１４  蝶番部
１７  ロッド受部
１８  電気機器取付盤
２０  扉部
２３  外周枠
２３ａ、２３ｂ、２３ｃ、２３ｄ  傾斜部
２４  リブ
２７  係止機構部
２８  係止ロッド
２９  開閉操作部
２９ａ  鍵穴
３１  内パッキン
３２  外パッキン
３３  仕切壁
３４  パッキン部材
３５  庇部
【図１】
0006682131.tif 000002
【図２】
0006682131.tif 000003
【図３】
0006682131.tif 000004
【図４】
0006682131.tif 000005
【図５】
0006682131.tif 000006
【図６】
0006682131.tif 000007